(57)【要約】【課題】着脱自在のアタッチメントノズルを有する縦型電気掃除機のコンパクト化且つ、外観美の向上を実現できる縦型電気掃除機を提供する。【解決手段】掃除機本体１０の下方に床用吸込具１９を有し、前記掃除機本体１０に着脱自在の隙間吸引パイプ１８を有し、前記掃除機本体１０を運搬可能な運搬用ハンドル１６を前記掃除機本体１０の上部に設けた縦型電気掃除機において、前記隙間吸引パイプ１８は、ホース３０を介して前記掃除機本体１０の後方に配置され、前記隙間吸引パイプ１８に着脱自在に接続されるアタッチメントノズル３３を、前記ホース３０と、前記掃除機本体１０の後面との間に配設したもので、アタッチメントノズル３３は、掃除機本体１０の前方側及び、後方側から見て、掃除機本体１０及び、ホース３０に隠れて見えなくなり、コンパクト性を実現すると共に外観美を向上させることができる。【選択図】図２
2013180082.tif 000002
【特許請求の範囲】
【請求項１】
掃除機本体の下方に床用吸込具を有し、前記掃除機本体に着脱自在の隙間吸引パイプを有し、前記掃除機本体を運搬可能なハンドルを前記掃除機本体の上部に設けた縦型電気掃除機において、前記隙間吸引パイプは、ホースを介して前記掃除機本体の後方に配置され、前記隙間吸引パイプに着脱自在に接続されるアタッチメントノズルを、前記ホースと、前記掃除機本体の後面との間に配設したことを特徴とする縦型電気掃除機。
【発明の詳細な説明】
【技術分野】
【０００１】
本発明は、一般家庭で使用される縦型電気掃除機に関するもので、特にアタッチメントノズルの収納性とコンパクト化を備えた縦型電気掃除機に関するものである。
【背景技術】
【０００２】
従来のこの種の縦型電気掃除機は、特許文献１に記載されているようなものが一般的であった。この従来の縦型電気掃除機について、図７を用いて説明する。
【０００３】
図７は、上記特許文献１に記載された従来の縦型電気掃除機の後方から見た斜視図である。図７において、従来の縦型電気掃除機は、掃除機本体１と床ノズル２が着脱可能に構成されており、掃除機本体１には、集塵室３、電動送風機（図示せず）が配置されている。また掃除機本体１の下端には、集塵室３に連通する接続口５が形成されており、この接続口５に、床ノズル２が着脱自在に接続される構成となっている。
【０００４】
また、掃除機本体１の後方には、接続口５もしくは、ホース６と着脱自在に接続できるアタッチメントノズル７が着脱自在に嵌合されているのが一般的であった。
【先行技術文献】
【特許文献】
【０００５】
【特許文献１】特開２００１−８７１７２号公報
【発明の概要】
【発明が解決しようとする課題】
【０００６】
しかしながら、上記特許文献１に記載されたような従来の縦型電気掃除機の構成では、アタッチメントノズル７は、掃除機本体１の後方に着脱可能に配置され、且つ、アタッチメントノズル７は、掃除機本体１から凸状に突出した状態となり外観美が損なわれていた。
【０００７】
本発明は、上記従来の課題を解決するものであって、アタッチメントノズルを、ホースと、掃除機本体の後面との間に配設することより、掃除機本体を前方側から見た時、前記アタッチメントノズルが隠れ、外観美を良くし、無駄なスペースを有効活用し、コンパクト化が図れ、収納性の良い縦型電気掃除機を提供することを目的とする。
【課題を解決するための手段】
【０００８】
上記従来の課題を解決するために、本発明の縦型電気掃除機は、掃除機本体の下方に床用吸込具を有し、前記掃除機本体に着脱自在の隙間吸引パイプを有し、前記掃除機本体を運搬可能なハンドルを前記掃除機本体の上部に設けた縦型電気掃除機において、前記隙間吸引パイプは、ホースを介して前記掃除機本体の後方に配置され、前記隙間吸引パイプに着脱自在に接続されるアタッチメントノズルを、前記ホースと、前記掃除機本体の後面との間に配設したもので、アタッチメントノズルは、掃除機本体の前方側及び、後方側から見て、掃除機本体及び、ホースに隠れて見えなくなり、コンパクト性を実現すると共に外観美を向上できる効果を奏する。
【発明の効果】
【０００９】
本発明の縦型電気掃除機は、掃除機本体とホースとの間に、アタッチメントノズルを備えたことにより、掃除機本体の前方側及び、後方側から見て、アタッチメントノズルを隠し、外観美を向上させ収納性の良いものである。
【図面の簡単な説明】
【００１０】
【図１】本発明の実施の形態１における縦型電気掃除機の全体斜視図
【図２】同縦型電気掃除機の断面図
【図３】同縦型電気掃除機の正面図
【図４】同縦型電気掃除機の後面図
【図５】同縦型電気掃除機の背面から見た部分断面図
【図６】同縦型電気掃除機のアタッチメントノズルと掃除機本体との嵌合状態を示す断面図
【図７】従来の縦型電気掃除機の後方から見た斜視図
【発明を実施するための形態】
【００１１】
第１の発明は、掃除機本体の下方に床用吸込具を有し、前記掃除機本体に着脱自在の隙間吸引パイプを有し、前記掃除機本体を運搬可能なハンドルを前記掃除機本体の上部に設けた縦型電気掃除機において、前記隙間吸引パイプは、ホースを介して前記掃除機本体の後方に配置され、前記隙間吸引パイプに着脱自在に接続されるアタッチメントノズルを、前記ホースと、前記掃除機本体の後面との間に配設したもので、アタッチメントノズルは、掃除機本体の前方側及び、後方側から見て、掃除機本体及び、ホースに隠れて見えなくなり、コンパクト性を実現すると共に外観美を向上できる効果を奏する。
【００１２】
以下、本発明の実施の形態について、図面を参照しながら説明する。なお、この実施の形態によって本発明が限定されるものではない。
【００１３】
（実施の形態１）
図１は、本発明の実施の形態１における縦型電気掃除機の全体斜視図、図２は、同縦型電気掃除機の断面図、図３は、同縦型電気掃除機の正面図、図４は、同縦型電気掃除機の後面図、図５は、同縦型電気掃除機の背面から見た部分断面図、図６は、同縦型電気掃除機のアタッチメントノズルと掃除機本体との嵌合状態を示す断面図である。
【００１４】
図１〜図６において、本実施の形態における縦型電気掃除機の掃除機本体１０の下方には、電動送風機１１を内蔵する電動送風機室１２が配され、この電動送風機１１の上側で、掃除機本体１０の中央には、電源供給用のコード１３が収容されるコードリール１４を備え、このコードリール１４の上側には、塵埃を捕集する集塵部１５が備えられている。
【００１５】
掃除機本体１０の上端には、運搬用ハンドル１６が設けられ、掃除機本体１０の上端の後方には、操作用ハンドル１７を兼ね備えた隙間吸引パイプ１８が具備されている。また、掃除機本体１０の下方に、上下に首振り回動可能に取り付けられた床用吸込具１９を具備している。
【００１６】
図２において、隙間吸引パイプ１８を覆う延長管２０には、取付凹部２１が形成され、延長管２０を、掃除機本体１０の接続開口２２に差し込んだ時、ハンドルレバー２３の係合突出部２４が、延長管２０の取付凹部２１に係合されロックされる。このロック機構により隙間吸引パイプ１８を覆う延長管２０は、掃除機本体１０に保持され、また、ハンドルレバー２３のロックの解除は、掃除機本体１０の上面に設けた解除レバー２５を押すことにより行われる構成となっている。
【００１７】
図２、図５において、床用吸込具１９の吸込み口２６から吸引された塵埃の床側吸込み流路２７は、矢印方向で示すように、床用吸込具１９の吸込み口２６から集塵部１５の開口穴２８へと連通されている。
【００１８】
一方、隙間吸引パイプ１８からの吸引された塵埃の吸引パイプ側吸込み流路２９は、ホース３０を連通し、接続パイプ３１を介し、集塵部１３の開口穴２８へ連通されている。３２は、双方の床側吸込み流路２７、吸引パイプ側吸込み流路２９が合流する共通通路である。
【００１９】
双方の床側吸込み流路２７と吸引パイプ側吸込み流路２９が合流する共通通路３２の近傍には、接続パイプ３１が配置されており、前記接続パイプ３１は、爪嵌合等（図示せず）で、掃除機本体１０と着脱自在に構成されている。
【００２０】
図１、図６において、掃除機本体１０の後方で、ホース３０との間に、アタッチメントノズル３３を保持する凸状の保持体３４が形成され、相対位置に、アタッチメントノズル３３に凹状の係止部３５が設けられ、アタッチメントノズル３３は、掃除機本体１０に着脱自在に嵌合されている。
【００２１】
アタッチメントノズル３３は、隙間吸引パイプ１８の先端と、着脱自在に構成されている。
【００２２】
以上のように構成された本実施の形態における縦型電気掃除機によれば、アタッチメントノズル３３は、掃除機本体１０と、ホース３０との間に配置されている為、掃除機本体１０の前方側及び、後方側から見て、アタッチメントノズル３３は隠れ、外観美を向上させることができる。また、掃除機本体１０と、ホース３０とのスペースを有効に活用することよりコンパクト性を実現させることができる。
【産業上の利用可能性】
【００２３】
以上のように、本発明に係る縦型電気掃除機は、着脱可能なアタッチメントノズルを具備した縦型電気掃除機のコンパクト化及び、外観美の向上を実現することができるもので、家庭用、業務用の各種縦型電気掃除機に適用できる。
【符号の説明】
【００２４】
１０  掃除機本体
１６  運搬用ハンドル（ハンドル）
１８  隙間吸引パイプ
１９  床用吸込具
３０  ホース
３３  アタッチメントノズル
【図１】
2013180082.tif 000003
【図２】
2013180082.tif 000004
【図３】
2013180082.tif 000005
【図４】
2013180082.tif 000006
【図５】
2013180082.tif 000007
【図６】
2013180082.tif 000008
【図７】
2013180082.tif 000009